【事件の表示】
　平成　３年特許願第　５０３１９号「オートフォーカス装置」拒絶査定に対する審判事件［平成　４年　９月２４日出願公開、特開平　４−２６８５２４］について、次のとおり審決する。
【結　論】
　本件審判の請求は、成り立たない。
【理　由】
１．手続の経緯・本願発明　
　本願は、平成３年２月２２日の出願であって、その請求項１に係る発明は、平成１３年９月２８日付けの手続補正書で補正された明細書及び図面の記載からみて、
「フォーカス補正レンズ及びズームレンズが収納されるインナーフォーカスレンズと、上記インナーフォーカスレンズを介された撮像光に基づく光電変換出力を発生する撮像素子と、上記撮像素子からの出力信号中の高域成分レベルを検出する手段と、上記フォーカス補正レンズを光軸方向に移動させる手段と、上記フォーカス補正レンズをウォブルして、上記撮像素子からの出力信号の高域成分が最大となる位置を検出する制御手段とを有し、上記フォーカス補正レンズを光軸方向に移動させる手段は、ステッピングモータと、上記ステッピングモータのモータ軸に固定されたスクリュー軸と、上記スクリュー軸に歯合され、上記ステッピングモータの回転により、上記フォーカス補正レンズを上記光軸方向に移動させるようにガイドする手段とを含み、上記フォーカスレンズの送りピッチをフォーカス深度以内に設定し、上記フォーカス補正レンズを上記フォーカス深度以内でウォブルさせるようにしたオートフォーカス装置。」にあるものと認める。
　なお、請求項１には「出力信号号」と記載されているが、「出力信号号」は「出力信号」の誤記と認められるので、本願の請求項１に係る発明（以下、「本願発明」という。）を上記のように認定した。
　
２．引用例　
　これに対して、当審での拒絶の理由に引用された、本願出願前日本国内において頒布された刊行物である、特開平１−２６５２１５号公報（以下、「引用例１」という。）には、次の事項が記載されている。
「被写体像を撮像素子上に結像させるズームレンズと、該撮像素子より得た映像信号から高域周波数成分信号を抽出する回路と、該回路の高域周波数成分信号が最大となるようにズームレンズのレンズ系の一部を光軸方向に移動させる機構を制御する回路より構成し、被写体にオートフォーカスする装置において、上記ズームレンズを構成するレンズ系の前玉レンズ群を固定し、マスタレンズ群の一部あるいはすべてを光軸方向にパルスモータを用い、リードスクリュネジを介して振動及び移動させながらフォーカシングすることを特徴とするビデオカメラのオートフォーカス装置。」（特許請求の範囲）
「第１図は本発明によるオートフォーカス装置の一実施例を示す概略構成図である。図において１は、ズームレンズ系で２はレンズ３枚で構成された前玉レンズ群、３は変倍作用をさせるバリエータレンズ群、４は変倍作用により生じる収差を補正するコンペンセータレンズ群、５はマスタレンズ群、６は絞り装置、７は撮像素子である。８は、バリエータレンズ群を移動させる駆動モータで、９は、マスタレンズ５をリードスクリュネジ１０を介して移動させるステッピングモータである。」（第３頁左下欄第１１〜２０行）
「撮像素子７の出力信号は、前置増幅器１１にて増幅し、カメラ回路１２にてカメラ信号が生成される。１３は、映像信号から高域周波数成分を抽出する高域周波数成分抽出回路である。高域成分抽出回路１３の出力信号は、フォーカスを微小変化させているのでその変化成分を含む。１４は、その変化成分すなわち微変動基準周波数成分を検出する検出回路であり、検出信号を同期検波回路１５に入力し、基準信号発生回路１６の信号を用いて同期検波する。これにより検出した基準周波数成分信号の極性と振幅を検出し、制御信号発生回路１７に加え、撮像素子７の高域成分のレベルが最大となるよう、すなわちピント合わせを行なうようにステッピングモータ９を駆動回路１８を介して動かす。」（第３頁右下欄第３〜１６行）
「ステッピングモータを使用した時、微小振動はＣＷ（時計方向）へ１ステップ、ＣＣＷ方向（反時計方向）へ１ステップ駆動することにより得られる。・・・第４図にマスタレンズ５を移動させる機構の１実施例を示す。２４はマスタレンズ群５を保持した内筒で、外筒２７を固定し、内筒２４を光軸方向に前後移動可能となるように内筒２４と外筒２７の間にボールベアリング２５を設ける。２６はボールベアリングが外れないようにしたリテーナである。内筒２４を移動する方法は、パルスモータ９に設けたリードスクリューのシャフト１０にメネジを有する枠２８を設け、この枠２８と内筒２４を連結棒３０で連結し、パルスモータ９の回転により枠２２が直線運動を行ない、内筒２４が連動して直線運動をするものである。」（第４頁左上欄第１３〜右上欄第１９行）
「本発明によれば、オートフォーカスによる合焦機構とは別に、特別に光軸上に微小振動機構を設置することなく、ズームレンズ系のマスタレンズ群をパルスモータで微小振動させながら移動し、フォーカシングする簡易な構成で実現できる。」（第６頁右上欄第１１〜１５行）
　この記載事項によると、引用例１には「前玉レンズ群を固定し、フォーカシングするマスタレンズ群及び変倍作用をさせるバリエータレンズ群を有するズームレンズ系と、上記ズームレンズ系により被写体像が結像されて出力信号を発生する撮像素子と、上記撮像素子からの出力信号中の高域周波数成分を抽出する高域成分抽出回路と、マスタレンズをリードスクリュネジを介して光軸方向に移動させるステッピングモータと、マスタレンズを振動及び移動させながら撮像素子の高域成分のレベルが最大となるようステッピングモータを動かすために基準周波数成分信号の極性と振幅を検出し、制御信号発生回路に加える手段と、リードスクリュネジのシャフトにメネジを有する枠を設けたオートフォーカス装置」が記載されていると認められる。　
　
　また、同じく当審での拒絶の理由に引用された、本願出願前日本国内において頒布された刊行物である、特開昭５５−７６３０９号公報（以下、「引用例２」という。）には、次の事項が記載されている。
「第１図を参照して本発明をテレビカメラに適用した一実施例を詳細に説明する。（１）はズームレンズ装置、（２）はそのフォーカシングレンズ、（３）はそのズーミング用移動レンズ、（４）は主レンズである。フォーカシングレンズ（２）は焦点調節のために光路上を移動せしめられる。ズーミング用移動レンズ（３）が光路上を移動せしめられることによって、ズームレンズ装置（１）の焦点距離が変化する。尚、ズームレンズ装置では焦点距離が長くなると、焦点深度が浅くなり、焦点距離が短くなると焦点深度は深くなる。」（第２頁左上欄第３〜１３行）
「（１２）はフォーカシングレンズ（２）と光電変換手段としての撮像管（５）の光電変換面との間の光路長を所定周波数及びズームレンズ装置（１）の焦点距離に応じた振幅で振動可変する振動手段である。・・・モータ（１７）は正逆両方向に回転し、図示せざるも機械手段を介してフォーカシングレンズ（２）を光路上の前後に移動させ得るようになされている。」（第２頁右上欄第５行〜左下欄第２行）
「第３図はフォーカシングレンズ（２）と撮像管（５）の結像面たる光電変換面との間の光路長Ｄと高周波レベル検出回路（２５）より検出される高周波成分のレベルとの関係を示す。・・・光電変換手段としての撮像管（５）の撮像出力はズーム装置レンズ（１）の焦点が合つている程、撮像画面のコントラストは強くなるので高周波レベル検出回路（２５）の検出出力レベルは大となり、焦点が外れる程撮像出力の撮像画面のコントラストは低下するので高周波レベル検出回路（２５）よりの検出出力のレベルは小となることから、光路長Ｄと高周波成分のレベルとの関係は第３図の（３０）のような略三角形の曲線にて示される特性を呈することとなる。」（第３頁右上欄第７行〜左下欄第１行）
「この実施例ではフォーカシングレンズ（２）が結像面に対し常に光路上に於て前後に振動しているので、ズームレンズ装置（１）の焦点距離が長くて焦点深度が浅いときに振動手段（１２）の振動の振幅が大きいと、再生画像は焦点が合つたり合わなかつたりを繰返して、見難くなる。従つて、上述の如くズームレンズ装置（１）の焦点距離が長いときは、それに応じて振動手段（１２）による振動の振幅を小さくし、ズームレンズ装置（１）の焦点距離が短いときは振動手段（１２）の振動の振幅を大にする。」（第４頁右上欄第５〜１５行）　
　
３．対比　
　そこで、本願発明と前記引用例１に記載されたものとを対比すると、引用例１に記載された「フォーカシングするマスタレンズ群」、「前玉レンズ群を固定し、フォーカシングするマスタレンズ群及び変倍作用をさせるバリエータレンズ群を有するズームレンズ系」、「ズームレンズ系により被写体像が結像されて出力信号を発生」、「高域周波数成分を抽出する高域成分抽出回路」、「リードスクリュネジを介して移動させるステッピングモータ」、「振動」、「高域成分のレベルが最大となるようステッピングモータを動かすために基準周波数成分信号の極性と振幅を検出し、制御信号発生回路に加える手段」、「リードスクリュネジのシャフト」及び「メネジを有する枠」は、それぞれ本願発明の「フォーカス補正レンズ」、「フォーカス補正レンズ及びズームレンズが収納されるインナーフォーカスレンズ」、「インナーフォーカスレンズを介された撮像光に基づく光電変換出力を発生」、「高域成分レベルを検出する手段」、「光軸方向に移動させる手段」、「ウォブル」、「高域成分が最大となる位置を検出する制御手段」、「モータ軸に固定されたスクリュー軸」及び「スクリュー軸に歯合され、上記ステッピングモータの回転により、上記フォーカス補正レンズを上記光軸方向に移動させるようにガイドする手段」に相当する。そうすると、両者は、
「フォーカス補正レンズ及びズームレンズが収納されるインナーフォーカスレンズと、上記インナーフォーカスレンズを介された撮像光に基づく光電変換出力を発生する撮像素子と、上記撮像素子からの出力信号中の高域成分レベルを検出する手段と、上記フォーカス補正レンズを光軸方向に移動させる手段と、上記フォーカス補正レンズをウォブルして、上記撮像素子からの出力信号の高域成分が最大となる位置を検出する制御手段とを有し、上記フォーカス補正レンズを光軸方向に移動させる手段は、ステッピングモータと、上記ステッピングモータのモータ軸に固定されたスクリュー軸と、上記スクリュー軸に歯合され、上記ステッピングモータの回転により、上記フォーカス補正レンズを上記光軸方向に移動させるようにガイドする手段とからなるオートフォーカス装置。」の点で一致し、
　本願発明が「フォーカスレンズの送りピッチをフォーカス深度以内に設定し、フォーカス補正レンズをフォーカス深度以内でウォブルさせるようにした」のに対し、引用例１にはそのようなことが記載されていない点で両者は一応相違する。
　
４．当審の判断　
　そこで上記相違点について検討する。　
　引用例２にはズームレンズ装置のフォーカシングレンズを結像面である撮像管に対して光路上において前後に振動、つまりウオブルするのに「ズームレンズ装置（１）の焦点距離が長くて焦点深度が浅いときに振動手段（１２）の振動の振幅が大きいと、再生画像は焦点が合つたり合わなかつたりを繰返して、見難くなる。従つて、上述の如くズームレンズ装置（１）の焦点距離が長いときは、それに応じて振動手段（１２）による振動の振幅を小さく」することが記載されており、該記載は焦点距離が長い場合について記載されたものではあるが、ウオブルの振動の振幅が大きいと再生画像は焦点が合ったり合わなかったりして見難くなるので、それを防ぐためには振動手段による振動の振幅を小さくすればよいことが記載されている。また、引用例２において、ズームレンズ装置（１）の焦点距離が短いときにも見難くならないようなウオブルの振動の振幅であることは明らかである。そして、このウオブルの振動により再生画像が合ったり合わなかったりして見難くなるという現象は本願の明細書中に記載された「フォーカスのズレ」ということができ、該フォーカスのズレが発生する場合にはウオブルの振動の振幅を小さくすることによって防ぐことができるのであるから、引用例１に記載されたものにおいてもウオブルによってフォーカスのズレが発生するのであれば、これを適用してウオブルの振動の振幅をフォーカスのズレが発生しない程度に小さくすることは当業者が容易に相当し得ることである。そして、ウオブルの振動の振幅を小さくすればフォーカスのズレが発生しないのであるから、どの程度小さくするかについてはフォーカスのズレに応じて当業者が適宜決定する事項であり、小さくする程度を特にフォーカス深度以内とした点は単なる設計事項にすぎない。また、フォーカス深度以内でウオブルさせるためにフォーカスレンズの送りピッチをフォーカス深度以内とすることも当然の設計事項にすぎない。そして、本願発明の効果も各引用例の記載から予測される程度のものにすぎない。
　
５．むすび　
　したがって、本願発明は、引用例１、２に記載された発明に基づいて当業者が容易に発明をすることができたものであるので、特許法第２９条第２項の規定により特許を受けることができない。　
　よって、結論のとおり審決する。